(57)【要約】      （修正有）【課題】携帯中に携帯電子機器のスロットに装着されているカード型記憶媒体が、不測に押し込まれてプッシュリターンしてしまうのを防止できるカードプロテクタとこれを用いた携帯電子機器を提供する。【解決手段】携帯電子機器１のカード型記憶媒体装着用スロット２に差し込まれたカード型記憶媒体４が外部から押圧されるのを防止するカードプロテクタ７であって、取付け部８とカバー部９とを備え、取付け部８は、カードプロテクタ７を携帯電子機器１に取付ける部分であり、カバー部９は、カード型記憶媒体４の露出端面に架かると共に携帯電子機器１のケース１８に支持される部分を有してカード型記憶媒体に対する外部からの押圧力を受け止める部分とする。【選択図】図１
0003183963.tif 000002
【実用新案登録請求の範囲】
【請求項１】
携帯電子機器のカード型記憶媒体装着用スロットに差し込まれたカード型記憶媒体が外部から押圧されるのを防止するカードプロテクタであって、
取付け部とカバー部とを備え、
取付け部は、カードプロテクタを携帯電子機器に取付ける部分であり、
カバー部は、カード型記憶媒体の露出端面に架かると共に携帯電子機器のケースに支持される部分を有してカード型記憶媒体に対する外部からの押圧力を受け止める部分である、
ことを特徴としたカードプロテクタ。
【請求項２】
取付け部とカバー部が一体の素材から形成されていることを特徴とした請求項１に記載のカードプロテクタ。
【請求項３】
前記の取付け部とカバー部は薄い一体の板材で形成されていることを特徴とした請求項２に記載のカードプロテクタ。
【請求項４】
取付け部とカバー部が複数の部材で形成されていることを特徴とした請求項１に記載のカードプロテクタ。
【請求項５】
前記の取付部は、前記カード型記憶媒体装着用スロットの内壁とカード型記憶媒体型との間隙に差し込まれる差込片であることを特徴とした請求項１〜４のいずれか１つに記載のカードプロテクタ。
【請求項６】
カバー部はさらに差込み片と対向する方向に屈曲された対向片を一体に有し、差込み片と対向片間でカード型記憶媒体の端部を弾性的に挟み付ける構造であることを特徴とした請求項５に記載のカードプロテクタ。
【請求項７】
前記の取付け部は、携帯電子機器のケースと磁力で取付け位置が維持される部分であることを特徴とした請求項１〜６のいずれか１つに記載のカードプロテクタ。
【請求項８】
前記の取付け部は、携帯電子機器のケースと接着力で取付け位置が維持される部分であることを特徴とした請求項１〜６のいずれか１つに記載のカードプロテクタ。
【請求項９】
前記のカバー部に別部材を取り付け、その先端縁をカード型記憶媒体装着用スロットの開口部周囲において携帯電子機器のケースに支持させることを特徴とした請求項１〜８のいずれか１つに記載したカードプロテクタ。
【請求項１０】
カバー部は、カード型記憶媒体の露出部に架かる部分がカード型記憶媒体の幅よりも大きく、両端が前記スロット開口部の幅方向両端付近の携帯電子機器のケースに支持されていることを特徴とした請求項１〜９のいずれか１つに記載のカードプロテクタ。
【請求項１１】
カバー部の前記カード型記憶媒体の露出端面に架かる部分に、カード型記憶媒体の露出側端縁に向けたセット／リセットピン差込用貫通孔を形成してあることを特徴とした請求項１〜１０のいずれか１つに記載のカードプロテクタ。
【請求項１２】
カードプロテクタに引き外し用リボン片を設けてあることを特徴とした請求項１〜１１のいずれか１つに記載のカードプロテクタ。
【請求項１３】
請求項１〜１２のいずれか１つに記載のカードプロテクタを備えたことを特徴とする携帯電子機器。
【考案の詳細な説明】
【技術分野】
【０００１】
本考案は、携帯電子ゲーム機など、カード型記憶媒体をスロットに差し込んで利用する携帯電子機器に関し、カード型記憶媒体が差し込まれたスロットの保護に関する。
【背景技術】
【０００２】
例えば、携帯電子ゲーム機には、カード型記憶媒体に格納されたゲームプログラムとデータを利用してゲームを楽しみ、また、通信機能を備えて、自機のゲーム進行データを他機に伝送したり、通信範囲に存在する親機からリアルタイムでデータを受け取ったりするものがある（特許文献１）。このようなゲーム機ではカード型記憶媒体が重要な役目を果たしており、前記ゲームプログラムの提供はもちろんゲーム進行データの保存や、常時通信による他のゲーム機へのデータ提供などに関与している。
【０００３】
一方、カード型記憶媒体はゲーム機が備えたスロットへ挿入・排出が可能に装填され、展開するゲームを変えたい場合などに交換できるようになっている。スロットに対する挿入・排出の手段には種々構造のものがあるが、挿入時にはカード型記憶媒体をスロットに差し込んでロックさせ（プッシュロック）、排出時にはカード型記憶媒体を一度押し込んでロックを外した後、指を離すことで、内部の付勢手段でカード型記憶媒体をスロットから排出させる（プッシュリターン）方式のものがある（特許文献２）。
プッシュロック・プッシュリターン方式は、カード型記憶媒体そのものを押すことで簡単に操作できるので、多くの電子ゲーム機や携帯電子機器で採用されている。
【先行技術文献】
【特許文献】
【０００４】
【特許文献１】特開２０１１−１７３００２号公報
【特許文献２】特開２０１２−１８１９３２号公報
【考案の概要】
【考案が解決しようとする課題】
【０００５】
しかし、プッシュロック・プッシュリターン方式は、スロットにロックされたカード型記憶媒体を押圧すると取り出せる構造であって、ロック状態のカード型記憶媒体を外部から少し押し下げられるようになっている。
この状態は、例えば、ゲーム機を携帯中に、スロットに装填されているカード型記憶媒体が不測に押し込まれる可能性を意味する。実際にゲーム機を手で横握りしたときやゲーム機をカバンに入れている時にカード型記憶媒体が思いもよらずに押し込まれ、カード型記憶媒体が飛び出してしまうことが報告されている。
【０００６】
そして、ゲームプレー中あるいはゲームプレー途中のスリープ中に、カード型記憶媒体が飛び出してしまうと、プレー中のゲームは通常、強制終了してしまい、これまでのゲーム成果は失われてしまう。また、その際、あらかじめ保存されていたゲーム結果を失う場合もある。同様のことは、一般に、プッシュロック・プッシュリターン方式のカード型記憶媒体の挿入・排出構造を採用している携帯用電子機器において生じる。
この考案は、携帯中にスロットに装着されているカード型記憶媒体が不測に押し込まれてしまうのを防止できるカードプロテクタとこれを用いた携帯電子機器の提供を課題とする。
【課題を解決するための手段】
【０００７】
携帯電子機器のカード型記憶媒体装着用スロットにカードプロテクタを取付け、スロットにロックされているカード型記憶媒体が外部から押圧されるのを防止する。
カードプロテクタは、取付け部とカバー部とを備える。
取付け部は、カードプロテクタを携帯電子機器に取付ける部分である。
カバー部は、カード型記憶媒体の露出端面に架かると共に携帯電子機器のケースに支持される部分を有する。
カバー部が外部から押圧されても、押圧力はケース支持されたカバー部で受け止められ、カード型記憶媒体を押圧するには至らない。
【０００８】
なお、「カバー部は、カード型記憶媒体の露出端面に架かる」とは、外部から見てカバー部がカード型記憶媒体の前記露出端面の一部あるいは全域を覆って存在している状態をいう。また、カバー部は外部から作用する通常の押圧力に対して、スロット内のカード型記憶媒体のロックを解除できるほどには変形しない剛性を備えたものである。
【０００９】
取付り部は、カード型記憶媒体装着用スロットの内壁とカード型記憶媒体との間隙に差し込まれる差込片としたり、磁力や接着力で取付け位置が維持される部分としたりする。
カードプロテクタには、リセットピン差込用貫通孔や引き外し用リボン片を設けたりすることがある。
【考案の効果】
【００１０】
カードプロテクタを装着することで、携帯電子機器のスロットに装填された稼働中のカード型記憶媒体が不測に排出されることがなく、安心して携帯することができる。
【図面の簡単な説明】
【００１１】
【図１】装填の手順を示した斜視図。
【図２】装填後の状態を示した斜視図、丸囲みはその一部の拡大図。
【図３】カードプロテクタ（実施例１）の側面図。
【図４】カード型記憶媒体に装着した状態を示した側面図。
【図５】カード型記憶媒体に装着した状態を示した背面図。
【図６】カード型記憶媒体に装着した状態を示した正面図。
【図７】カードプロテクタ（実施例２）の正面側斜視図。
【図８】カードプロテクタ（実施例２）の背面側斜視図。
【図９】カードプロテクタ（実施例３）の背面側斜視図。
【図１０】カードプロテクタ（実施例４）の正面側斜視図。
【図１１】カードプロテクタ（実施例５）の正面側斜視図。
【図１２】カードプロテクタ（実施例６）の背面側斜視図。
【図１３】カードプロテクタ（実施例７）の装着手順を示した正面側斜視図。
【図１４】カードプロテクタ（実施例７）の装着状態を示した正面側斜視図。
【考案を実施するための形態】
【００１２】
図１において、携帯電子機器１は携帯ゲーム機であり、自機と他機あるいはエリア内の親機との間で通信により、種々な情報やデータの交換が可能になっている。携帯電子機器１は側面にゲームカードスロット２（以下、スロット２）や汎用の記憶媒体を挿入する汎用スロット３を備えている。
スロット２には、ゲームプログラムなどを格納したカード型記憶媒体４がプッシュロック・プッシュリターン方式で装填される。装填状態でカード型記憶媒体４は、露出側の端面が携帯電子機器１の側面とほぼ一致するまで押し込まれた状態で排出方向に関してロックされている。そして、プッシュリターンを可能とするために、スロット２の開口部５にはスロット２の上下（深さ）方向に凹所６が形成され、凹所６の深さ分だけ、装填状態のカード型記憶媒体４を押し込み、ロック状態を解除できるようになっている。
なお、プッシュロック・プッシュリターン方式を実行するためのロック機構は公知のものである。
【００１３】
図１において符号７はカードプロテクタであり、第１の実施例を示している。
カードプロテクタ７は薄い（０．２〜０．４ｍｍ厚）のステンレス板を屈曲成形してあり、取付け部８とカバー部９を備える（図３，４）。
なお、説明の都合上、図１に示すように上下、左右、前後の方向を定める。
取付け部８はスロット２の上下方向（深さ）に延びる平らな差込み片１０となっている（図５）。差込み片１０の左右寸法ａはスロット２の左右方向寸法よりわずかに小さい。差込み片１０の上下寸法ｂはカード型記憶媒体４よりも短く、カード型記憶媒体４の接点１１に達しない寸法である。また、この実施例の差込み片１０は、上部に比べて下部がカード型記憶媒体４の左右寸法よりも小さくされている。
【００１４】
カバー部９は、取付け部８の上端縁から前面側へほぼ直角に屈曲された天板１２とさらにその前端縁から下方へ屈曲して前記の差込み片１０と対向する配置とされた対向片１３及び支持部１４を備える。
天板１２は前記差込み片１０の左右方向寸法ａと等しい長さと、少なくともスロット２の前後方向寸法ｃ（図２）よりも十分に大きな前後方向寸法ｄを有する。対向片１３は天板１２の前縁から下方へかつ差込み片１０側へ屈曲された、差込み片１０よりも短い部分であり、ステンレス薄板の材質により弾性を有する。
【００１５】
支持部１４は、天板１２の前縁から下方へ下垂部１５を形成し、次いで後方へ水平部１６を形成し、さらに上方かつ前方へ巻き込むように斜面部１７を形成した部分である。すなわち、支持部１４は断面において前面の下垂部１５を上下方向とし、前記水平部１６を底面とした直角三角形を形成している。斜面部１７は水平部１６の補強部となる。そして、水平部１６の前後方向寸法ｅ（図２）は前記差込み片１０との間隔（ｄ−ｅ）がほぼスロット２の前後方向寸法ｃよりも少し大きくなる程度とする。
支持部１４は、対向片１３の両側に設けてある。
【００１６】
カードプロテクタ７は次のように使用する。
まず、図４のように、カードプロテクタ７にカード型記憶媒体４の上端部を差込み装着する。カードプロテクタ７の差込み片１０はカード型記憶媒体４の後面側に対向片１３は同前面側に位置する。カードプロテクタ７は、対向片１３のばね性によって差込み片１０とでカード型記憶媒体４を挟みつけた状態となる（図４）。
【００１７】
ついで、カードプロテクタ７と共にカード型記憶媒体４を携帯電子機器１のスロット２に差込む。差込み片１０は薄く、カード型記憶媒体４をスロット２へ差込む際に支障は生じない。
カード型記憶媒体４を十分に差込んだ後、セット／リセット孔２１から細いものを差込んでカード型記憶媒体４の上端を押しプッシュロックが完成すると、カード型記憶媒体４の接点１１が機器本体側に接続される。そして、カードプロテクタ７は支持部１４が携帯電子機器１のスロット２周囲のケース１８部分に支持される（図２）。この状態では、外部からカード型記憶媒体４を押し込む方向の力（押圧力）が作用しても、カードプロテクタ７の支持部１４で支持された天板１２で受け止められ、スロット２に装填中のカード型記憶媒体４が押し込まれることはない。
【００１８】
この実施例において、スロット２に装填されているカード型記憶媒体４を取り出すときは、セット／リセット孔２１から細いものを差込んでカード型記憶媒体４の上端を押すことにより、プッシュリターンを実行でき、カード型記憶媒体を簡単に取り出すことができる。
また、対向片１３に爪先を掛けるようにして、まず、カードプロテクタ７を上方へ引抜き、ついで、露出したカード型記憶媒体４の上端部を押してプッシュリターンすることもできる。
【００１９】
また、このカードプロテクタ７は、先にカード型記憶媒体４をスロット２へプッシュロックしておいてから、差込み片１０をスロット２の内壁とカード型記憶媒体４の後面との間に差込んで装着することもできる。
以上により、携帯電子機器１のスロット２に装填され、機能中のカード型記憶媒体４が不測に排出されてしまうことを防止することができる。
【００２０】
図７，８は第２の実施例であり、カードプロテクタ７の基本的な形態を示している。実施例１と同様に、取付け部８とカバー部９を備える。全体がステンレス板（０．３ｍｍ厚）を成形してある。
形態的に単純であり、取付け部８としての差込み片１０をスロット２に差込み、天板１２に続く下垂部１５の下縁を携帯電子機器１のケース１８に当接する。この箇所で天板１２に作用する押圧力は下垂部１５の下縁で支持される。実施例１の対向片１３に相当する部分は下垂部１５と同一面にあって平坦であり、この実施例２では差込み片１０と対向片１３とでカード型記憶媒体４を積極的に挟み付ける機能はない。
【００２１】
」
図９は、第３の実施例であり、装着されたカードプロテクタ７を取り出しやすくするために、この例では、第２の実施例で示したカードプロテクタ７に引き外し用の小さなリボン１９を接着して取り付けている。
図１０は、第４の実施例であって、第２の実施例で示したカードプロテクタ７の下垂部１５に硬質の樹脂部材２０を取り付けてある。この樹脂部材２０は前後方向に厚み（例えば、前記実施例１の水平部１６の前後方向寸法に相当）のある部材であり、下端面が携帯電子機器１のケース１８と広い範囲で当接するので、カバー部９に対する外部からの押圧力に対して安定する。
【００２２】
図１１は第５の実施例であり、硬質の樹脂部材２０で構成される部分が携帯電子機器１のケース１８に設けた凹所６と合致する箇所だけとしている。これだけでもカバー部９に対する外部からの押圧力に対して安定する。また、前記実施例の場合も同様であるが、カードプロテクタ７が前記凹所６に対応した部分を備えると、この部分で凹所６が隠蔽されるので、携帯上の体裁が向上する。
【００２３】
図１２は、第６の実施例であり、カードプロテクタ７は前記と同様に、取付け部８とカバー部９を備え、実施例１と同様にセット／リセット孔２１を備えている。また、取付け部８は半円形の環状部分として形成されている。
【００２４】
この実施例の基本的な使用方法は、他の実施例の場合と同じであるが、下垂部１５は携帯電子機器１のケース１８の前面に接触する。
【００２５】
図１３，１４は、第７の実施例であり、ステンレス薄板（約０．４ｍｍ）を断面Ｌ字形に屈曲させて形成した天板１２と下垂部１５及び永久磁石２２とで構成されている。差込み片１０に相当する部分は有していない。
天板１２は携帯電子機器１のスロット２よりも十分に長く、左右の両端部がスロット２の両端を越えてケース１８の表面に当接する長さとされている。下垂部１５は、この実施例において天板１２と同じ長さとされ、全体の形態がシンプルに形成されている。そして、天板１２の両端部には永久磁石２２が接着固定されている。一方、携帯電子機器１のケース１８のスロット２付近には、前記の永久磁石２２と対応する位置に受け側の永久磁石２３が接着固定されている。
【００２６】
実施例７のカードプロテクタ７は、スロット２にカード型記憶媒体４をプッシュロックさせた後、前方から天板１２をケース１８の上面に近づけると永久磁石２２と２３の引き合いによって天板１２がスロット２のカード型記憶媒体４の上端を覆って安定する。また、下垂部１５はケース１５の前面に接触する（図１４）。
天板１２に対する外部からの押圧力は永久磁石２２と２３の引き合い箇所によって受け止められる。すなわち、永久磁石２２，２３は他の実施例における支持部１４相当の機能も果たしている。
【００２７】
以上、いくつかの実施例について説明したが、この考案において、カードプロテクタ７を構成する素材は適度の剛性を備えればよく、金属の種類や合成樹脂の種類は特に問わない。また、複数の素材の組み合わせの場合もある。
カードプロテクタ７のケース１８に対する取り付け方向は前記の説明とは前後や左右が逆になる場合もある。
実施例７の場合、永久磁石２３に換えて、磁性体を利用することもできる。また、永久磁石２２，２３に換えて、繰り返し接着が可能な接着材を利用することもできる。
また、実施例ではカバー部９がスロット２に装填されたカード型記憶媒体４の上端面の全てを覆う大きさのものを取り上げたが、前記上端面の一部を覆う大きさのものであってもよい。
【符号の説明】
【００２８】
１  携帯電子機器
２  ゲームカードスロット
３  汎用スロット
４  カード型記憶媒体
５  開口部
６  凹所
７  カードプロテクタ
８  取付け部
９  カバー部
１０  差込み片
１１  接点
１２  天板
１３  対向片
１４  支持部
１５  下垂部
１６  水平部
１７  斜面部
１８  ケース
１９  リボン
２０  硬質の樹脂部材
２１  セット／リセット孔
２２  永久磁石
２３  永久磁石（受け側）または磁性体
【図１】
0003183963.tif 000003
【図２】
0003183963.tif 000004
【図３】
0003183963.tif 000005
【図４】
0003183963.tif 000006
【図５】
0003183963.tif 000007
【図６】
0003183963.tif 000008
【図７】
0003183963.tif 000009
【図８】
0003183963.tif 000010
【図９】
0003183963.tif 000011
【図１０】
0003183963.tif 000012
【図１１】
0003183963.tif 000013
【図１２】
0003183963.tif 000014
【図１３】
0003183963.tif 000015
【図１４】
0003183963.tif 000016